(57)【要約】【課題】換気時に室内から音がそのまま屋外に漏れるのを効率よく防止するとともに、風の吹き込みを簡便に防止し、換気効率の維持を図る。【解決手段】表面に凹凸８を有する吸音材９が内面に配設された防音カバー１が、換気扇の排気口に連通接続して屋外に設置され、防音カバーの内部に斜め下方に傾斜するフラップ板１１が配設されている。【選択図】図１
2008082581.tif 000002
【特許請求の範囲】
【請求項１】
表面に凹凸を有する吸音材が内面に配設された防音カバーが、換気扇の排気口に連通接続して屋外に設置される防音換気構造において、防音カバーの内部に斜め下方に傾斜するフラップ板が配設されていることを特徴とする防音換気構造。
【請求項２】
換気扇の吸気口に連通接続して請求項１に記載の防音カバーが屋外に設置されていることを特徴とする請求項１に記載の防音換気構造。
【請求項３】
フラップ板に表面に凹凸を有する吸音材が設けられていることを特徴とする請求項１または２に記載の防音換気構造。
【請求項４】
換気扇の排気口と防音カバーとを連通接続する壁体内埋込の排気ダクトが有孔ダクトであり、孔を通じて排気の一部が壁体内に分散放出されることを特徴とする請求項１ないし３いずれか一項に記載の防音換気構造。
【発明の詳細な説明】
【技術分野】
【０００１】
本発明は、室内の音がそのまま屋外に漏れるのを防止しつつ、室内を換気する防音換気構造に関する。
【背景技術】
【０００２】
２４時間換気システムなどの定期的に室内の空気と屋外の空気を交換し、室内を換気する換気システムでは、図６に示したように、換気扇３１が室内Ａに設置される場合と、図７に示したように、換気扇３１が壁体Ｗ内に埋設される場合とがある。換気扇３１が室内Ａに設置される場合には、図６に示したように、壁体Ｗ内に室内Ａと屋外Ｂとを連通させるダクト３２が配設され、その室内Ａ側の端部に換気扇３１の排気口３３や吸気口が接続される。ダクト３２の屋外Ｂ側の端部には、雨水の浸入を防止する屋外フード３４が接続され、屋外フード３４は外壁面Ｗｂ上に設置される。換気扇３１が壁体Ｗ内に埋設される場合には、図７に示したように、外壁面Ｗｂ上に設置された屋外フード３４に換気扇３１の排気口３３や吸気口が直接連通接続される。
【０００３】
図７に示した換気システムでは、屋外フード３４として防音カバー３５が採用されている。シアタールームなどの大音量の音が発生する部屋の換気を行う場合には、換気時に室内Ａの空気が排気されることにともなって、室内Ａの音がそのまま屋外Ｂに漏れるのを防止するために防音カバー３５が設置される。防音カバー３５は、通常、内面に、ポリウレタン、発泡ブチルゴムなどによる吸音材が貼り付けられ、吸音材によって音を吸収し、減衰させている。
【０００４】
防音性能を向上させるものとして、図８に示したような防音型給気装置が提案されている（特許文献１）。
【０００５】
図８に示した防音型給気装置では、防音カバー３５に相当する吸気筒３６の内面に、凹凸３７を表面に有する吸音材３８が貼着され、吸気筒３６の内部に音拡散装置３９が設けられている。防音型給気装置は、進入してくる音を音拡散装置３９で反射して吸音材３８により効率よく吸音し、高レベルの吸音効果を確保することができる。このような防音型給気装置を図７に示した防音カバー３５に応用することで、換気時に室内Ａの音がそのまま屋外Ｂに漏れるのを防止することができると一応考えられる。
【特許文献１】特開平９−１４７０６号公報
【発明の開示】
【発明が解決しようとする課題】
【０００６】
しかしながら、屋外Ｂで風圧の強い風が吹くとき、防音カバー３５の下端開口から内部に向かって風が吹き込む場合には、図８に示した防音型給気装置はそれを阻止する手段を持たないので、防音カバー３５の内部で風の流れに乱れが生じ、所定の換気量が得られないなどの問題が発生する。この問題は、換気扇３１の排気口３３に連通接続する防音カバー３５についての問題だけでなく、吸気口に連通接続する防音カバー３５にも共通している。
【０００７】
本発明は、以上の通りの事情に鑑みてなされたものであり、換気時に室内から音がそのまま屋外に漏れるのを効率よく防止するとともに、風の吹き込みを簡便に防止し、換気効率の維持を図ることのできる防音換気構造を提供することを課題としている。
【課題を解決するための手段】
【０００８】
本発明の防音換気構造は、上記の課題を解決するために、以下のことを特徴としている。
【０００９】
第１に、表面に凹凸を有する吸音材が内面に配設された防音カバーが、換気扇の排気口に連通接続して屋外に設置される防音換気構造において、防音カバーの内部に斜め下方に傾斜するフラップ板が配設されている。
【００１０】
第２に、上記において、換気扇の吸気口に連通接続して上記第１の特徴を有する防音カバーが屋外に設置されている。
【００１１】
第３に、上記において、フラップ板に表面に凹凸を有する吸音材が設けられている。
【００１２】
第４に、上記において、換気扇の排気口と防音カバーとを連通接続する壁体内埋込の排気ダクトが有孔ダクトであり、孔を通じて排気の一部が壁体内に分散放出される。
【発明の効果】
【００１３】
上記第１の発明によれば、防音カバーの内部に配設されたフラップ板が音を反射し、反射する音を防音カバーの内面に配設された表面に凹凸を有する吸音材によって効率よく吸音し、換気時に室内の音がそのまま屋外に漏れるのを防止することができる。フラップ板は斜め下方に傾斜しているため、防音カバーの内部に吹き込む風を簡便に阻止することができ、耐風性に優れる。防音カバーの内部での風の流れが安定化し、換気効率を一定に保つことができる。
【００１４】
上記第２の発明によれば、上記発明の効果と同様な効果が得られる。
【００１５】
上記第３の発明によれば、上記の発明の効果に加え、フラップ板においても吸音することができるので、防音カバーの大きさを大きくしなくとも吸音面積が拡大され、吸音効率が高まる。
【００１６】
上記第４の発明によれば、排気ダクトに形成された孔を通じて排気の一部が壁体内に分散放出されるので、室内の音の一部が壁体内に向かい、防音カバーに進入する音が低減され、換気時に室内の音がそのまま屋外に漏れるのをより一層低減することができる。
【発明を実施するための最良の形態】
【００１７】
図１＜ａ＞＜ｂ＞＜ｃ＞＜ｄ＞は、それぞれ、本発明の防音換気構造に用いられる防音カバーの実施形態を示した背面図、一部切欠側面図、正面図、底面図である。
【００１８】
図１＜ａ＞＜ｂ＞＜ｃ＞＜ｄ＞に示した防音カバー１は、正面側のカバー部材１ａと背面側のベース部材１ｂの２部材から形成され、ベース部材１ｂにカバー部材１ａが組み合わされて筒状または箱状に形成されている。ベース部材１ｂは、略矩形平板状の形状を有し、上端部に開口２が形成されている。カバー部材１ａは、ベース部材１ｂに組み合わされる背側から正面にかけて斜め上方に傾斜する底面部に、多数のパンチング孔３から形成された通気口４を有している。カバー部材１ａは中空であり、ベース部材１ｂに組み合わされて形成される防音カバー１は、内部に、開口２と通気口４とを連通接続する通気路５が形成されている。カバー部材１ａの正面は、上端部から中程にかけてなだらかに膨らむ流線形状部６と中程から下端部にかけてまっすぐに下方に向かう直立面状部７とから形成されている。このような正面形状により防音カバー１の内部の通気路５における通気抵抗を軽減し、また、外観を良好にしている。カバー部材１ａおよびベース部材１ｂはともに、ステンレス板、鋼板などから形成することができ、外表面を塗装仕上げすることができる。
【００１９】
防音カバー１の内面、すなわち、カバー部材１ａの内面およびベース部材１ｂの表面には、図８に示した吸音材３８と同様に、表面に凹凸８を有する吸音材９が遮音層１０を介して配設されている。吸音材９は、たとえばポリウレタン、発泡ブチルゴムなどによって表面を凹凸８状にして形成することができる。遮音層１０は、たとえば遮音シート、高比重材などが積層された遮音性を有する層である。
【００２０】
また、防音カバー１の内部には、吸音材９により被覆されたフラップ板１１が配設されている。フラップ板１１は、防音カバー１の上下２箇所に設けられている。通気口４に近いフラップ板１１は、カバー部材１ａの正面側の内面から通気路５に向かって斜め下方に配置されている。フラップ板１１は、固定金具１２によってカバー部材１ａに固定されている。
【００２１】
固定金具１２は、フラップ板１１を支持する断面略Ｌ字型形状の支持部１２ａと、直立面状の固定部１２ｂとを備えている。支持部１２ａは、固定部１２ｂに対し、斜め下方に傾斜している。固定金具１２は、固定部１２ｂをカバー部材１ａの正面側の内面に当接させ、材質に応じてビスなどの固着具を使ってまたは接着、溶接などによって固定される。斜め下方に向かう支持部１２ａによってフラップ板１１が支持され、フラップ板１１は、防音カバー１の内部で斜め下方に配設される。
【００２２】
上側のフラップ板１１は、開口２の近くに配置され、ベース部材１ｂの正面に上記の通りの固定金具１２によって固定されている。上側のフラップ板１１は、ベース部材１ｂの表面から通気路５に向かって斜め下方に配置されている。
【００２３】
以上の防音カバー１は、たとえば図２に示したように、換気扇３１が室内Ａ側の壁体Ｗの内壁面Ｗａ上に設置される場合には、室内Ａと屋外Ｂとを連通する開口部４０の内部に配設されたダクト３２の屋外Ｂ側の端部に開口２を連通させて外壁面Ｗｂ上に設置することができる。図２に示した防音換気構造では、ダクト３２は排気ダクトであり、換気扇３１の排気口３３に開口２を連通させて防音カバー１を接続している。
【００２４】
換気扇３１の作動により換気を行うと、室内Ａ側の空気は排気口３３からダクト３２が設けられる場合には排気ダクトを通じて、ダクト３２が設けられない場合は排気口３３から直接開口２に排気され、図１＜ｂ＞に示した防音カバー１の内部の通気路５に送り出される。この時、室内Ａの音も防音カバー１の内部に進入するが、音は防音カバー１の内部で反射し、特に上側のフラップ板１１および下側のフラップ板１１で反射し、反射を繰り返す内に吸音材９に吸収されて減衰し、音がそのまま通気口４から屋外Ｂに漏れることはない。防音カバー１の内部に配設されたフラップ板１１が音を反射し、反射する音を防音カバー１の内面に配設された表面に凹凸８を有する吸音材９によって効率よく吸音し、換気時に室内Ａの音がそのまま屋外Ｂに漏れるのを防止することができる。また、防音カバー１には遮音層１０が設けられているため、振動音の発生も防止することができる。したがって、シアタールームなどのような大音量の音が発生する部屋であっても、換気時に室内Ａの音がそのまま屋外Ｂに漏れるのを防止することができる。しかも、図１＜ａ＞＜ｂ＞＜ｃ＞＜ｄ＞に示した防音カバー１では、フラップ板１１にも吸音材９が設けられているので、フラップ板１１においても吸音することができ、防音カバー１の大きさを大きくしなくとも吸音面積が拡大され、吸音効率が高まっている。
【００２５】
なお、フラップ板１１への吸音材９の配設は、本発明の防音換気構造では、所望とされる吸音性能に応じて適宜行えばよく、フラップ板１１のみで十分な吸音性能が得られる場合には省略することができる。
【００２６】
また、フラップ板１１は、防音カバー１の横幅全体にわたる広幅のものとすることができる他、幅狭なものを適宜な位置に配設したり、幅狭な複数のものを所定の間隔で防音カバー１の横幅方向に配列するように配設したりすることができる。また、フラップ板１１は、上下いずれか一方に設け、他方を省略したり、上下に３箇所以上設けたりすることもできる。通気抵抗を考慮し、吸音性能とバランスが取れるようにフラップ板１１の形態および配設態様を決定する。
【００２７】
そして、図２に示した防音換気構造では、防音カバー１においてフラップ板１１は、図１＜ｂ＞に示したように、斜め下方に傾斜しているため、屋外Ｂで風圧の強い風が吹き、防音カバー１の下端開口から内部に向かって風が吹き込む場合には、それを阻止することができる。防音カバー１の内部で風の流れに乱れが生じるのを斜め下方に傾斜するフラップ板１１によって防止することができる。したがって、防音カバー１の内部での風の流れが安定化し、換気効率を一定に保つことができる。このように、図２に示した防音換気構造は吸音性能ばかりでなく、耐風性にも優れている。また、耐風性を、高い吸音性能を確保するフラップ板１１によって実現しているので、耐風性を確保するための手段を新たに設ける必要がなく、構造が簡略化されている。防音カバー１の内部に吹き込む風を簡便に阻止することができる。
【００２８】
防音カバー１は、図７に示したような換気扇３１が壁体Ｗ内に埋設される場合には、排気口３３に直接開口２を連通させて防音カバー１を外壁面Ｗｂ上に設置することができる。このような防音換気構造でも上記と全く同様な効果を得ることができる。
【００２９】
また、防音カバー１は、図３に示した吸排気をともに行う換気扇３１の場合には、排気側４１ばかりでなく、吸気側４２にも配設することができる。すなわち、換気扇３１の吸気口に図２に示したようなダクト３２を介してまたはダクト３２を介さずに直接開口２を連通させて防音カバー１を連通接続し、外壁面Ｗｂ上に設置することができる。防音カバー１においてフラップ板１１は、上記の通り、斜め下方に傾斜しているため、屋外Ｂで風圧の強い風が吹き、防音カバー１の下端開口から内部に向かって風が吹き込む場合には、それを阻止することができ、防音カバー１の内部で風の流れに乱れが生じるのをフラップ板１１によって防止することができる。したがって、吸気側４２においても、防音カバー１の内部での風の流れが安定化し、換気効率を一定に保つことができる。
【００３０】
図３に示した換気扇３１では、吸気側４２に熱交換素子４３を備えており、屋外Ｂの空気を室温に近づけて吸気することができるようにしている。
【００３１】
さらに、図１に示した防音カバー１は、カバー部材１ａとベース部材１ｂの２部材から形成され、カバー部材１ａとベース部材１ｂとは別々に作製することができるので、フラップ板１１の取付けを含め、製造が容易であり、また、意匠性の向上が可能となっている。これまでの防音カバーは、一般に、一体型であり、フランジ部を形成して外壁面Ｗｂに直接固定するようになっている。一体型であるので、設計上の制約があり、また、吸音材９の配設などの点で製造が比較的難しくなっている。
【００３２】
図４は、本発明の防音換気構造の別の実施形態を示した要部斜視図である。
【００３３】
本実施形態において図２に示した実施形態と共通する部分には同一の符号を付し、その説明を省略する。
【００３４】
図４に示した防音換気構造にも、図１＜ａ＞＜ｂ＞＜ｃ＞＜ｄ＞に示した防音カバー１が採用されている。内壁面Ｗａ上に設置された換気扇３１の排気口３３に連通接続された排気ダクト３２ａの屋外Ｂ側の端部に開口２を連通させて防音カバー１が外壁面Ｗｂ上に設置されている。
【００３５】
一方、図４に示した防音換気構造では、排気ダクト３２ａは、周面に内外を連通する孔１３が複数形成された有孔ダクト１４とされている。換気扇３１の作動により室内Ａの空気を換気する際に、排気の一部は、図４図中に矢印で示したように、排気ダクト３２ａの孔１３から開口部４０を通じて壁体Ｗ内に分散して放出される。このため、室内Ａの音の一部が壁体Ｗ内に向かい、防音カバー１に進入する音が低減されるので、換気時に室内Ａの音がそのまま屋外Ｂに漏れるのをより一層低減することができる。
【００３６】
壁体Ｗは、シアタールームなどの防音室の場合、５００Ｈｚ時で４０〜４５ｄＢが実現されるように形成されている。たとえば図５に示したように、開口部４０を有する壁体Ｗには、グラスウールなどから形成される断熱層１５の表面に防湿遮音シート１６が配設されている。また、防湿遮音シート１６の表面に胴縁１７が配設され、胴縁１７表面に粘着遮音テープ１８を貼り付けて遮音下地パネル１９が配設されている。そして、遮音下地パネル１９の表面に石膏ボード２０が配設され、石膏ボード２０の表面に仕上材２１が配設されている。このような防音室を形成する壁体Ｗの遮音構造により、図４に示したように、排気ダクト３２ａを有孔ダクト１４とし、孔１３から排気の一部を開口部４０を通じて壁体Ｗの内部に分散放出することによって室内Ａの音を一部壁体Ｗ内に逃がしても、室内Ａの音がそのまま屋外Ｂに漏れることはない。防音室の高い防音性能はそのまま維持される。したがって、図１＜ａ＞＜ｂ＞＜ｃ＞＜ｄ＞に示した防音カバー１と組み合わせることにより、室内Ａの音がそのまま屋外Ｂに漏れるのがより一層低減される。
【図面の簡単な説明】
【００３７】
【図１】＜ａ＞＜ｂ＞＜ｃ＞＜ｄ＞は、それぞれ、本発明の防音換気構造に用いられる防音カバーの実施形態を示した背面図、一部切欠側面図、正面図、底面図である。
【図２】図１に示した防音カバーを備えた本発明の防音換気構造の一実施形態の概要を示した要部断面図である。
【図３】本発明の防音換気構造に用いられる換気扇の一形態を示した斜視図である。
【図４】本発明の防音換気構造の別の実施形態の概要を示した要部断面図である。
【図５】防音室の壁体の構造を示した要部断面図である。
【図６】換気構造の一例を示した要部断面図である。
【図７】換気構造の他の例を示した要部断面図である。
【図８】提案されている防音型給気装置を示した断面図である。
【符号の説明】
【００３８】
１  防音カバー
８  凹凸
９  吸音材
１１  フラップ板
１３  孔
１４  有孔ダクト
３１  換気扇
３２ａ  排気ダクト
３３  排気口
Ｂ  屋外
Ｗ  壁体
【図１】
2008082581.tif 000003
【図２】
2008082581.tif 000004
【図３】
2008082581.tif 000005
【図４】
2008082581.tif 000006
【図５】
2008082581.tif 000007
【図６】
2008082581.tif 000008
【図７】
2008082581.tif 000009
【図８】
2008082581.tif 000010